(57)【要約】      （修正有）【課題】回路基板等の対象物に取付けられるコネクタであって、様々な厚さを有する対象物の夫々に、より安定的にフレームを取付けることができるコネクタを提供する。【解決手段】コネクタ１０は、ロック部を有する回路基板等の対象物８０に取付け可能である。コネクタ１０は、ハウジング２００とフレーム５００とを備えている。ハウジング２００は、押圧部２２０と支持部２４０とを有している。ハウジング２００は、コネクタ１０が対象物８０に取付けられた取付け済み状態において、対象物８０に固定されている。フレーム５００は、被支持部５９０と被押圧部５３０と被ロック部５６０とを有している。被支持部５９０は、コネクタ１０が取付け済み状態にあるとき、前後方向において被押圧部５３０と被ロック部５６０との間に位置しており、且つ、上下方向において支持部２４０に下方から支持されている。【選択図】図７
2015207404.tif 000002
【特許請求の範囲】
【請求項１】
ロック部を有する対象物に取付け可能なコネクタであって、前記コネクタは、ハウジングとフレームとを備えており、
前記ハウジングは、押圧部と支持部とを有しており、前記ハウジングは、前記コネクタが前記対象物に取付けられた取付け済み状態において、前記対象物に固定されており、
前記フレームは、被支持部と被押圧部と被ロック部とを有しており、
前記被支持部は、前記コネクタが前記取付け済み状態にあるとき、前後方向において前記被押圧部と前記被ロック部との間に位置しており、且つ、前記前後方向と直交する上下方向において前記支持部に下方から支持されており、
前記被押圧部は、前記取付け済み状態において、前記押圧部によって上方から押圧されており、
前記被ロック部は、前記取付け済み状態において、前記ロック部に下方から力を加えている
コネクタ。
【請求項２】
請求項１記載のコネクタであって、
前記フレームは、前記ハウジングが前記対象物に固定された状態において、前記被押圧部を前記押圧部の下方に位置させ前記被支持部を前記支持部の上方に位置させて、前記ハウジングに対して傾斜した傾斜位置から前記ハウジングに対して水平に延びる水平位置に向かって回転させることで前記ハウジングに取付けられており、
前記ハウジングが前記対象物に固定されており、前記フレームが前記ハウジングに取付けられておらず、且つ、前記フレームが前記水平位置にあるとき、前記支持部と前記押圧部との間の前記上下方向における距離は、前記被支持部と前記被押圧部との間の前記上下方向における距離よりも大きい
コネクタ。
【請求項３】
請求項１又は請求項２記載のコネクタであって、
前記フレームは、突出部を有しており、
前記突出部は、前記コネクタが前記取付け済み状態にあるとき、前記上下方向において上方に突出しており、前記被押圧部は、前記突出部の上端である
コネクタ。
【請求項４】
請求項３記載のコネクタであって、
前記ハウジングは、張出し部と支持面とを有しており、
前記張出し部は、前記上下方向及び前記前後方向の双方と直交する幅方向の外側に張出して下面を有しており、前記押圧部は、前記張出し部の前記下面の一部であり、
前記ハウジングの前記支持面は、前記コネクタが前記取付け済み状態にあるとき、前記上下方向において前記張出し部の前記下面よりも上方に位置しており、前記支持部は、前記ハウジングの前記支持面の一部であり、
前記フレームは、前端部と上板部とを有しており、
前記前端部は、上面を有しており、前記突出部は、前記前端部の前記上面に設けられており、前記取付け済み状態において、前記前端部の前記上面から上方に突出しており、
前記上板部は、被支持面を有しており、前記上板部の前記被支持面は、前記取付け済み状態において、前記ハウジングの前記支持面の上に位置しており、前記被支持部は、前記上板部の前記被支持面の縁である
コネクタ。
【請求項５】
請求項１乃至請求項４のいずれかに記載のコネクタであって、
前記対象物は、前記対象物を前記上下方向に貫通する取付け孔を有しており、前記ロック部は、前記取付け孔の下端の近傍に位置しており、
前記取付け済み状態において、前記被ロック部は、前記取付け孔に挿入されており、前記被ロック部の少なくとも一部は、前記取付け孔の前記下端から下方に突出している
コネクタ。
【請求項６】
請求項５記載のコネクタであって、
前記フレームは、フックを有しており、
前記被ロック部は、前記フックの面であり
前記被ロック部は、前記取付け済み状態において、全体として前記上下方向と交差する方向に延びている
コネクタ。
【請求項７】
請求項６記載のコネクタであって、
前記被ロック部は、前記取付け済み状態において、前記上下方向と直交する方向に延びており、
前記取付け済み状態において、前記被ロック部は、下方から前記ロック部に接触している
コネクタ。
【請求項８】
請求項６記載のコネクタであって、
前記被ロック部は、１以上の傾斜部を有しており、
前記取付け済み状態において、前記被ロック部の前記傾斜部のいずれかが、前記上下方向と斜交して下方から前記ロック部に接触している
コネクタ。
【請求項９】
請求項６記載のコネクタであって、
前記被ロック部は、前記上下方向及び前記前後方向によって規定される面内において湾曲している１以上の湾曲部を有しており、
前記取付け済み状態において、前記被ロック部の前記湾曲部のいずれかが、下方から前記ロック部に接触している
コネクタ。
【請求項１０】
請求項９記載のコネクタであって、
前記被ロック部は、前記上下方向と斜交した１以上の傾斜部を更に有しており、
前記取付け済み状態において、前記被ロック部の前記湾曲部のいずれか又は前記傾斜部のいずれかが、下方から前記ロック部に接触している
コネクタ。
【請求項１１】
請求項６記載のコネクタであって、
前記被ロック部は、前記上下方向及び前記前後方向によって規定される面内において階段形状を有しており、
前記取付け済み状態において、前記階段形状の部位の一部が、下方から前記ロック部に接触している
コネクタ。
【請求項１２】
請求項５乃至請求項１１のいずれかに記載のコネクタであって、
前記フレームは、位置決め部を有しており、
前記位置決め部は、前記取付け済み状態において、前記取付け孔に挿入されており、前記被ロック部を前記前後方向において位置決めしている
コネクタ。
【請求項１３】
請求項１２記載のコネクタであって、
前記位置決め部の少なくとも一部は、前記上下方向及び前記前後方向の双方と直交する幅方向において前記被ロック部の内側に位置している
コネクタ。
【請求項１４】
請求項１乃至請求項１３のいずれかに記載のコネクタが搭載された
電子機器。
【発明の詳細な説明】
【技術分野】
【０００１】
本発明は、回路基板等の対象物に取付けられるコネクタであって、対象物に夫々取付けられるハウジングとフレームとを備えたコネクタに関する。
【背景技術】
【０００２】
このタイプのコネクタは、例えば、特許文献１に開示されている。
【０００３】
図２５に示されるように、特許文献１に開示されたＩＣカード用コネクタ（コネクタ）は、回路基板に夫々取付けられるハウジング及びフレームを備えている。フレームは、係合片と上板部とを有している。また、フレームは、接地端子を保持している。接地端子は、２つの係合爪を有している。係合爪の夫々には、突出端が形成されている。回路基板には、取付孔が形成されている。コネクタを回路基板に取り付ける際、先ずハウジングが回路基板に固定される。次に、フレームの係合片と上板部とがハウジングに取付けられ、接地端子の係合爪が取付孔に挿入される。係合爪の突出端は、取付孔の壁面に夫々押し付けられ、これによってフレームが回路基板に取り付けられる。
【先行技術文献】
【特許文献】
【０００４】
【特許文献１】特開２００２−７５４９６号公報
【発明の概要】
【発明が解決しようとする課題】
【０００５】
特許文献１のコネクタについては、例えば回路基板が薄い場合、フレームがガタつくおそれがある。このため、フレームが回路基板に取り付けられた後、係合爪を半田付け等により回路基板に固定する必要がある。即ち、特許文献１のフレームは、様々な厚さを有する回路基板の夫々に対応することが難しい。
【０００６】
そこで、本発明は、回路基板等の対象物に取付けられるコネクタであって、様々な厚さを有する対象物の夫々に、より安定的にフレームを取付けることができるコネクタを提供することを目的とする。
【課題を解決するための手段】
【０００７】
本発明は、第１のコネクタとして、
ロック部を有する対象物に取付け可能なコネクタであって、前記コネクタは、ハウジングとフレームとを備えており、
前記ハウジングは、押圧部と支持部とを有しており、前記ハウジングは、前記コネクタが前記対象物に取付けられた取付け済み状態において、前記対象物に固定されており、
前記フレームは、被支持部と被押圧部と被ロック部とを有しており、
前記被支持部は、前記コネクタが前記取付け済み状態にあるとき、前後方向において前記被押圧部と前記被ロック部との間に位置しており、且つ、前記前後方向と直交する上下方向において前記支持部に下方から支持されており、
前記被押圧部は、前記取付け済み状態において、前記押圧部によって上方から押圧されており、
前記被ロック部は、前記取付け済み状態において、前記ロック部に下方から力を加えている
コネクタを提供する。
【０００８】
また、本発明は、第２のコネクタとして、第１のコネクタであって、
前記フレームは、前記ハウジングが前記対象物に固定された状態において、前記被押圧部を前記押圧部の下方に位置させ前記被支持部を前記支持部の上方に位置させて、前記ハウジングに対して傾斜した傾斜位置から前記ハウジングに対して水平に延びる水平位置に向かって回転させることで前記ハウジングに取付けられており、
前記ハウジングが前記対象物に固定されており、前記フレームが前記ハウジングに取付けられておらず、且つ、前記フレームが前記水平位置にあるとき、前記支持部と前記押圧部との間の前記上下方向における距離は、前記被支持部と前記被押圧部との間の前記上下方向における距離よりも大きい
コネクタを提供する。
【０００９】
また、本発明は、第３のコネクタとして、第１又は第２のコネクタであって、
前記フレームは、突出部を有しており、
前記突出部は、前記コネクタが前記取付け済み状態にあるとき、前記上下方向において上方に突出しており、前記被押圧部は、前記突出部の上端である
コネクタを提供する。
【００１０】
また、本発明は、第４のコネクタとして、第３のコネクタであって、
前記ハウジングは、張出し部と支持面とを有しており、
前記張出し部は、前記上下方向及び前記前後方向の双方と直交する幅方向の外側に張出して下面を有しており、前記押圧部は、前記張出し部の前記下面の一部であり、
前記ハウジングの前記支持面は、前記コネクタが前記取付け済み状態にあるとき、前記上下方向において前記張出し部の前記下面よりも上方に位置しており、前記支持部は、前記ハウジングの前記支持面の一部であり、
前記フレームは、前端部と上板部とを有しており、
前記前端部は、上面を有しており、前記突出部は、前記前端部の前記上面に設けられており、前記取付け済み状態において、前記前端部の前記上面から上方に突出しており、
前記上板部は、被支持面を有しており、前記上板部の前記被支持面は、前記取付け済み状態において、前記ハウジングの前記支持面の上に位置しており、前記被支持部は、前記上板部の前記被支持面の縁である
コネクタを提供する。
【００１１】
また、本発明は、第５のコネクタとして、第１乃至第４のコネクタのいずれかであって、
前記対象物は、前記対象物を前記上下方向に貫通する取付け孔を有しており、前記ロック部は、前記取付け孔の下端の近傍に位置しており、
前記取付け済み状態において、前記被ロック部は、前記取付け孔に挿入されており、前記被ロック部の少なくとも一部は、前記取付け孔の前記下端から下方に突出している
コネクタを提供する。
【００１２】
また、本発明は、第６のコネクタとして、第５のコネクタであって、
前記フレームは、フックを有しており、
前記被ロック部は、前記フックの面であり
前記被ロック部は、前記取付け済み状態において、全体として前記上下方向と交差する方向に延びている
コネクタを提供する。
【００１３】
また、本発明は、第７のコネクタとして、第６のコネクタであって、
前記被ロック部は、前記取付け済み状態において、前記上下方向と直交する方向に延びており、
前記取付け済み状態において、前記被ロック部は、下方から前記ロック部に接触している
コネクタを提供する。
【００１４】
また、本発明は、第８のコネクタとして、第６のコネクタであって、
前記被ロック部は、１以上の傾斜部を有しており、
前記取付け済み状態において、前記被ロック部の前記傾斜部のいずれかが、前記上下方向と斜交して下方から前記ロック部に接触している
コネクタを提供する。
【００１５】
また、本発明は、第９のコネクタとして、第６のコネクタであって、
前記被ロック部は、前記上下方向及び前記前後方向によって規定される面内において湾曲している１以上の湾曲部を有しており、
前記取付け済み状態において、前記被ロック部の前記湾曲部のいずれかが、下方から前記ロック部に接触している
コネクタを提供する。
【００１６】
また、本発明は、第１０のコネクタとして、第９のコネクタであって、
前記被ロック部は、前記上下方向と斜交した１以上の傾斜部を更に有しており、
前記取付け済み状態において、前記被ロック部の前記湾曲部のいずれか又は前記傾斜部のいずれかが、下方から前記ロック部に接触している
コネクタを提供する。
【００１７】
また、本発明は、第１１のコネクタとして、第６のコネクタであって、
前記被ロック部は、前記上下方向及び前記前後方向によって規定される面内において階段形状を有しており、
前記取付け済み状態において、前記階段形状の部位の一部が、下方から前記ロック部に接触している
コネクタを提供する。
【００１８】
また、本発明は、第１２のコネクタとして、第５乃至第１１のコネクタのいずれかであって、
前記フレームは、位置決め部を有しており、
前記位置決め部は、前記取付け済み状態において、前記取付け孔に挿入されており、前記被ロック部を前記前後方向において位置決めしている
コネクタを提供する。
【００１９】
また、本発明は、第１３のコネクタとして、第１２のコネクタであって、
前記位置決め部の少なくとも一部は、前記上下方向及び前記前後方向の双方と直交する幅方向において前記被ロック部の内側に位置している
コネクタを提供する。
【００２０】
また、本発明は、第１の電子機器として、第１乃至第１３のコネクタのいずれかが搭載された
電子機器を提供する。
【発明の効果】
【００２１】
本発明によれば、コネクタの取付け済み状態において、フレームの被ロック部は、対象物のロック部に下方から力を加える。即ち、被ロック部はロック部に押し付けられる。このため、ロック部の上下方向における位置が設計値と異なっていたとしても、被ロック部は、ロック部にロックされる。特に、ロック部が対象物の取付け孔の下端の近傍に位置している場合、被ロック部は、対象物の厚さが様々に異なる場合でも、ロック部によってロックすることができる。即ち、本発明によるコネクタのフレームは、様々な厚さを有する対象物の夫々に、より安定的に取付けることができる。
【図面の簡単な説明】
【００２２】
【図１】本発明の実施の形態によるコネクタを示す斜視図である。ここで、コネクタは回路基板に取付けられた取付け済み状態にある。また、コネクタのフレームの被支持部の近傍を切欠いて描画している。更に、被支持部の近傍（破線で囲んだ部分）を拡大して描画している。
【図２】図１のコネクタのハウジングを示す斜視図である。ここで、ハウジングは回路基板に固定されている。
【図３】図１のコネクタのフレームを示す斜視図である。ここで、フレームはハウジングに取付けられておらず、且つ、水平位置に位置している。また、フレームの前端部の一部（破線で囲んだ部分）を拡大して描画している。
【図４】図３のフレームを示す正面図である。ここで、フレームの側板部の近傍（破線で囲んだ部分）を拡大して描画している。
【図５】図３のフレームを示す底面図である。ここで、フレームのフックの近傍（破線で囲んだ部分）を拡大して描画している。
【図６】図１のハウジングとフレームとを示す側面図である。ここで、フレームはハウジングへの取付けを開始した傾斜位置にある。また、ハウジングの張出し部の近傍（破線で囲んだ部分）を拡大して描画している。
【図７】図１のハウジングとフレームとを示す側面図である。
【図８】図７のハウジングの張出し部の近傍（破線Ａで囲んだ部分）を示す側面図である。ここで、ハウジングの押圧部の近傍（破線で囲んだ部分）を更に拡大して描画している。
【図９】図７のコネクタのフレームの側板部をＩＸ−ＩＸ線に沿って示す断面図である。ここで、フレームは第１の回路基板に取り付けられている。
【図１０】図７のコネクタのフレームの側板部をＸ−Ｘ線に沿って示す断面図である。ここで、フレームは第２の回路基板に取り付けられている。
【図１１】図３のフレームの変形例を示す斜視図である。ここで、フレームのフックの近傍（破線で囲んだ部分）を拡大して描画している。
【図１２】図１１のフレームを示す背面図である。ここで、フレームの側板部の近傍（破線で囲んだ部分）を拡大して描画している
【図１３】図１１のフレームの側板部を示す断面図である。ここで、フレームは第１の回路基板に取り付けられている。
【図１４】図１１のフレームの側板部を示す他の断面図である。ここで、フレームは第２の回路基板に取り付けられている。
【図１５】図３のフレームの他の変形例の側板部を示す断面図である。ここで、フレームは第１の回路基板に取り付けられている。
【図１６】図１５のフレームの側板部を示す他の断面図である。ここで、フレームは第２の回路基板に取り付けられている。
【図１７】図３のフレームの更に他の変形例の側板部を示す断面図である。ここで、フレームは第１の回路基板に取り付けられている。また、被ロック部の近傍（破線で囲んだ部分）を拡大して描画している。
【図１８】図１７のフレームの側板部を示す他の断面図である。ここで、フレームは第２の回路基板に取り付けられている。
【図１９】図３のフレームの更に他の変形例の側板部を示す断面図である。ここで、フレームは第１の回路基板に取り付けられている。
【図２０】図１９のフレームの側板部を示す他の断面図である。ここで、フレームは第２の回路基板に取り付けられている。
【図２１】図１のコネクタが搭載された電子機器を示す正面図である。ここで、電子機器の内部に配置された回路基板の輪郭と、回路基板に取り付けられたコネクタの輪郭とを破線で描画している。
【図２２】図２１の回路基板を示す斜視図である。
【図２３】図１のコネクタが搭載された他の電子機器を示す斜視図である。ここで、電子機器の内部に配置された回路基板の輪郭と、回路基板に取り付けられたコネクタの輪郭とを破線で描画している。
【図２４】図２３の回路基板を示す斜視図である。
【図２５】特許文献１のコネクタを示す側面図である。
【発明を実施するための形態】
【００２３】
図１に示されるように、本発明の実施の形態によるコネクタ１０は、対象物（回路基板）８０に取付け可能な基板コネクタである。また、本実施の形態によるコネクタ１０は、カード等の接続対象物（図示せず）と接続可能なカードコネクタである。但し、本発明は、カードコネクタ以外のコネクタにも適用可能である。
【００２４】
図２に示されるように、回路基板８０は、上下方向（Ｚ方向）における上面８０Ｕと下面８０Ｌとを有している。上面８０Ｕ及び下面８０Ｌの夫々は、Ｚ方向と直交している。本実施の形態による回路基板８０には、２つの取付け孔８１０が形成されている。取付け孔８１０は、回路基板８０をＺ方向に貫通している。
【００２５】
図１に示されるように、本実施の形態によるコネクタ１０は、絶縁性材料からなるハウジング２００と、導電性材料からなる２つのホールドダウン３００と、導電性材料からなる複数のコンタクト４００と、絶縁性材料からなるフレーム５００とを備えている。特に、本実施の形態によるハウジング２００及びフレーム５００の夫々は、樹脂製である。
【００２６】
図２に示されるように、本実施の形態によるハウジング２００は、保持部２１０と、２つのアーム部２３０とを有している。保持部２１０は、Ｙ方向（幅方向）に長く延びている。保持部２１０は、２つの側部２１４を有している。側部２１４は、保持部２１０のＹ方向における両端部に夫々位置している。アーム部２３０は、側部２１４からＸ方向（前後方向）における後方（−Ｘ方向）に向かって夫々延びている。アーム部２３０の夫々は、上面（支持面）２３２を有している。即ち、ハウジング２００は、２つの支持面２３２を有している。支持面２３２は、Ｚ方向と直交している。本実施の形態による支持面２３２は、側部２１４の上面と面一に形成されている。
【００２７】
本実施の形態によるハウジング２００は、２つの張出し部２１６を有している。張出し部２１６は、側部２１４のＹ方向における側面の上部（＋Ｚ側の部位）からＹ方向の外側に夫々張出している。張出し部２１６の夫々は、下面２１８を有している。下面２１８は、Ｚ方向と直交している。コネクタ１０が回路基板８０に取付けられた取付け済み状態にあるとき、アーム部２３０（ハウジング２００）の支持面２３２は、張出し部２１６の下面２１８よりも上方（＋Ｚ方向）に位置している。
【００２８】
ホールドダウン３００は、ハウジング２００のアーム部２３０に夫々保持されている。コンタクト４００は、ハウジング２００の保持部２１０によってＹ方向に整列されて保持されている。ホールドダウン３００及びコンタクト４００は、取付け済み状態において回路基板８０の上面８０Ｕに半田付け等によって固定されている。即ち、本実施の形態によるハウジング２００は、ホールドダウン３００及びコンタクト４００によって回路基板８０の上面８０Ｕに取付けられ固定される。但し、ハウジング２００は、別の方法で回路基板８０に取付けられてもよい。
【００２９】
図３に示されるように、本実施の形態によるフレーム５００は、２つの側板部５１０と、２つの前端部５２０と、２つの突出部５２４と、上板部５８０とを有している。
【００３０】
図１及び図３を参照すると、側板部５１０は、取付け済み状態（図１参照）においてＸ方向に長く延びている。前端部５２０は、取付け済み状態において、側板部５１０の前端（＋Ｘ側の端）の下部（−Ｚ側の部位）から前方（＋Ｘ方向）に突出している。前端部５２０の夫々は、上面５２２を有している。上面５２２は、取付け済み状態において、Ｚ方向とほぼ直交している。突出部５２４は、上面５２２に夫々設けられている。突出部５２４は、上面５２２から上方（＋Ｚ方向）に突出している。
【００３１】
上板部５８０は、２つの側板部５１０をＹ方向に連結している。上板部５８０は、２つの下面（被支持面）５８４を有している。被支持面５８４は、上板部５８０のＹ方向における両側に夫々位置している。被支持面５８４は、取付け済み状態（図１参照）において、Ｚ方向とほぼ直交している。被支持面５８４は、取付け済み状態において、ハウジング２００の支持面２３２の上に夫々位置している（図１参照）。
【００３２】
図３、図４及び図９に示されるように、側板部５１０の夫々には、接触面５１６とバネ部５４０と位置決め部５７０とが設けられている。接触面５１６は、Ｚ方向と直交している。接触面５１６は、取付け済み状態において、バネ部５４０及び位置決め部５７０を除く側板部５１０の下端（−Ｚ方向における端）に位置している。バネ部５４０は、取付け済み状態において、Ｚ方向に延びている。バネ部５４０は、Ｙ方向に弾性変形可能である。バネ部５４０の夫々には、フック５５０が設けられている。フック５５０は、バネ部５４０の下端部（−Ｚ側の端部）に位置しており、Ｙ方向外側に突出している。フック５５０は、バネ部５４０の弾性変形によりＹ方向に移動可能である。位置決め部５７０は、取付け済み状態において、接触面５１６から下方に延びている。
【００３３】
図５に示されるように、本実施の形態による位置決め部５７０は、２つの湾曲部５７２と、湾曲部５７２を互いに連結する連結部５７４とを有している。本実施の形態による位置決め部５７０は、Ｙ方向において被ロック部５６０の内側に位置している。但し、位置決め部５７０の一部（例えば、湾曲部５７２の一部）が、Ｙ方向において被ロック部５６０の外側に位置していてもよい。即ち、位置決め部５７０の少なくとも一部が、Ｙ方向において被ロック部５６０の内側に位置していればよい。このように構成された位置決め部５７０は、バネ部５４０がＹ方向内側に過剰に弾性変形して破損することを防ぐことができる。
【００３４】
図３、図７及び図８に示されるように、フレーム５００は、２つの被押圧部５３０と２つの被支持部５９０とを有している。本実施の形態によれば、被押圧部５３０は、突出部５２４の上端（＋Ｚ側の端）であり、被支持部５９０は、上板部５８０の被支持面５８４の縁である。
【００３５】
図１、図７及び図８に示されるように、ハウジング２００は、２つの押圧部２２０と２つの支持部２４０とを有している。本実施の形態によれば、押圧部２２０は、張出し部２１６の下面２１８の一部であり、支持部２４０は、ハウジング２００の支持面２３２の一部である。但し、支持部２４０は、取付け済み状態において被支持部５９０を下方から支持できる限り、ハウジング２００のどの部位であってもよい。押圧部２２０は、取付け済み状態において被押圧部５３０を上方から押圧できる限り、ハウジング２００のどの部位であってもよい。
【００３６】
図３、図４及び図７に示されるように、フレーム５００は、２つの被ロック部５６０を有している。被ロック部５６０は、取付け済み状態において回路基板８０にロックされる。本実施の形態による被ロック部５６０は、フック５５０の面である。本実施の形態による被ロック部５６０は、取付け済み状態において、Ｚ方向（上下方向）と直交するＸＹ面内を延びている。即ち、被ロック部５６０は、Ｙ方向に延びている。但し、被ロック部５６０は、取付け済み状態において、全体としてＺ方向と交差する方向に延びていればよい。
【００３７】
図６及び図７から理解されるように、フレーム５００は、ハウジング２００が回路基板８０に固定された後、ハウジング２００及び回路基板８０に取付けられる。詳しくは、まず、被押圧部５３０を押圧部２２０の下方に位置させ、被支持部５９０を支持部２４０の上方に位置させる。これにより、フレーム５００は、ハウジング２００に対して傾斜した傾斜位置（図６における位置）に位置する。次に、フレーム５００の−Ｘ側の部位を下方に押圧し、これによりフレーム５００を、ハウジング２００に対して水平に延びる水平位置（図７における位置）に向けて回転方向（図６参照）に沿って回転させる。
【００３８】
図６に示されるように、ハウジング２００が回路基板８０に固定されており、且つ、フレーム５００がハウジング２００に取付けられていないとき、支持部２４０と押圧部２２０とは、Ｚ方向において距離（Ｄ１）だけ離れている。また、図６及び図７から理解されるように、フレーム５００がハウジング２００に取付けられておらず、且つ、フレーム５００が水平位置にあるとき、被支持部５９０と被押圧部５３０とは、Ｚ方向において距離（Ｄ２）だけ離れている。本実施の形態によれば、距離（Ｄ１）は距離（Ｄ２）よりも大きい。このため、上述のように回転操作すると、被押圧部５３０は押圧部２２０から下方に向かう力を受け、フレーム５００の被支持部５９０よりも−Ｘ側に位置する部位は、上方に向かうモーメントを受ける。フレーム５００は、このモーメントに抗いつつ上述のように回転操作することで、ハウジング２００に取付けることができる。
【００３９】
図７及び図９から理解されるように、フレーム５００が上述の回転操作によって水平位置に移動すると、フック５５０は、Ｙ方向内側に移動しつつ回路基板８０の取付け孔８１０を通過する。フック５５０は、回路基板８０の下方に到達すると、Ｙ方向外側に移動する。このため、被ロック部５６０は、回路基板８０の下面８０Ｌの下に位置する。
【００４０】
図７に示されるように、被支持部５９０は、コネクタ１０が取付け済み状態にあるとき、Ｘ方向において被押圧部５３０と被ロック部５６０との間に位置している。被支持部５９０は、取付け済み状態において、Ｚ方向において支持部２４０に下方から支持されている。また、上述のように距離（Ｄ１）が距離（Ｄ２）よりも大きいため（図６参照）、被押圧部５３０は、取付け済み状態において、押圧部２２０によって上方から押圧されている。このため、取付け済み状態において、被ロック部５６０は逆回転方向に沿ったモーメントを受ける。即ち、被ロック部５６０は、取付け済み状態において、回路基板８０の下面８０Ｌに下方から押し付けられる。被押圧部５３０、被ロック部５６０及び被支持部５９０は、上述のように構成されている限り、フレーム５００のどの部位であってもよい。
【００４１】
図９から理解されるように、下面８０Ｌのうち被ロック部５６０によって上方に押圧される部位は、被ロック部５６０をロックするロック部８２０として機能する。即ち、回路基板８０はロック部８２０を有しており、被ロック部５６０は、取付け済み状態において、下方からロック部８２０に接触して、ロック部８２０に下方から力を加えている。このため、フレーム５００は、回路基板８０に安定的に取り付けられている。即ち、フレーム５００のガタつきが防止されている。特に、本実施の形態による被ロック部５６０は、フレーム５００の側板部５１０に夫々設けられている。このため、フレーム５００のガタつきをより確実に防止することができる。
【００４２】
図７及び図９に示されるように、位置決め部５７０は、取付け済み状態において、取付け孔８１０に部分的に挿入されている。取付け孔８１０に挿入された２つの位置決め部５７０は、被ロック部５６０をＸ方向及びＹ方向において位置決めしている。本実施の形態によれば、位置決め部５７０の湾曲部５７２が被ロック部５６０をＸ方向において位置決めし（図７参照）、連結部５７４が被ロック部５６０をＹ方向において位置決めする（図９参照）。
【００４３】
図１０に示されるように、上述のように構成されたコネクタ１０は、回路基板８０（第１の回路基板）と異なる回路基板（対象物）８０Ｘ（第２の回路基板）にも取り付けることができる。詳しくは、図９及び図１０に示されるように、回路基板８０は厚さ（Ｔ１）を有しており、回路基板８０Ｘは厚さ（Ｔ２）を有している。厚さ（Ｔ２）は、厚さ（Ｔ１）よりも大きい。回路基板８０Ｘには、取付け孔８１０と同様な取付け孔８１０Ｘが形成されている。但し、取付け孔８１０ＸのＺ方向におけるサイズは、厚さ（Ｔ２）と等しい。即ち、取付け孔８１０ＸのＺ方向におけるサイズは、取付け孔８１０のＺ方向におけるサイズよりも大きい。
【００４４】
フレーム５００の被ロック部５６０は、取付け済み状態において、回路基板８０Ｘのロック部８２０に下方から力を加える。このため、フレーム５００は、回路基板８０より厚い回路基板８０Ｘにも、安定的に取り付けることができる。このため、例えばロック部８２０のＺ方向における位置が設計値と異なっていたとしても、被ロック部５６０は、ロック部８２０にロックされる。即ち、本実施の形態によるフレーム５００は、様々な厚さを有する対象物の夫々に、より安定的に取付けることができる。
【００４５】
図９及び図１０から理解されるように、被ロック部５６０の形状は、様々に変形することができる。例えば、被ロック部５６０は、ＸＹ平面と平行な平面ではなく、上方に傾斜しつつＹ方向外側に延びていてもよい。この場合、被ロック部５６０のＹ方向外側の端部が、下面８０Ｌの一部であるロック部８２０にロックされる。
【００４６】
以下、被ロック部５６０の様々な変形例について説明する。以下の変形例において、被ロック部以外の部材や部位は、本実施の形態と同じ構造を有している。従って、以下の説明においては、被ロック部と直接的に関連する部材及び部位についてのみ説明する。
【００４７】
（第１の変形例）
図１１及び図１２に示されるように、第１の変形例によるフレーム５００Ａは、フック５５０（図３参照）と少し異なるフック５５０Ａを有している。フック５５０Ａは、被ロック部５６０Ａを有している。被ロック部５６０Ａは、被ロック部５６０と異なり、２つの傾斜部５６２を有している。
【００４８】
図１３及び図１４に示されるように、被ロック部５６０Ａを有するコネクタ１０が回路基板８０（又は、回路基板８０Ｘ）に取付けられたとき（図１参照）、被ロック部５６０Ａの傾斜部５６２の一方が、取付け孔８１０（又は、取付け孔８１０Ｘ）の壁面の下端（−Ｚ側の端）に下方から接触する。傾斜部５６２の一方は、この下端を下方から押圧しており、これによりロックされている。即ち、第１の変形例によるロック部８２０は、取付け孔８１０（又は、取付け孔８１０Ｘ）の壁面の下端である。
【００４９】
第１の変形例によれば、取付け済み状態において、被ロック部５６０Ａの傾斜部５６２のいずれかが、下方からロック部８２０に接触している。また、傾斜部５６２は、ロック部８２０に接触したとき、Ｚ方向と斜交している。第１の変形例による傾斜部５６２の数は２である。しかしながら、傾斜部５６２の数は１以上であればよい。即ち、被ロック部５６０Ａは、１以上の傾斜部５６２を有していればよい。
【００５０】
（第２の変形例）
図１５及び図１６に示されるように、第２の変形例によるフレーム５００Ｂは、フック５５０（図３参照）と少し異なるフック５５０Ｂを有している。フック５５０Ｂは、被ロック部５６０Ｂを有している。被ロック部５６０Ｂは、被ロック部５６０と異なり、湾曲部５６４を有している。湾曲部５６４は、ＹＺ面内において湾曲している。
【００５１】
被ロック部５６０Ｂを有するコネクタ１０が回路基板８０（又は、回路基板８０Ｘ）に取付けられたとき（図１参照）、被ロック部５６０Ｂの湾曲部５６４が、下方から取付け孔８１０（又は、取付け孔８１０Ｘ）の壁面の下端に接触している。湾曲部５６４は、この下端を下方から押圧しており、これによりロックされている。即ち、第２の変形例によるロック部８２０は、取付け孔８１０（又は、取付け孔８１０Ｘ）の壁面の下端である。第２の変形例によれば、取付け済み状態において、湾曲部５６４が、下方からロック部８２０に接触している。
【００５２】
第２の変形例による被ロック部５６０Ｂの湾曲部５６４の数は１である。しかしながら、湾曲部５６４の数は１以上であればよい。即ち、被ロック部５６０Ｂは、１以上の湾曲部５６４を有していればよい。
【００５３】
（第３の変形例）
図１７及び図１８に示されるように、第３の変形例によるフレーム５００Ｃは、フック５５０Ｂ（図１５及び図１６参照）と少し異なるフック５５０Ｃを有している。フック５５０Ｃは、被ロック部５６０Ｃを有している。被ロック部５６０Ｃは、被ロック部５６０Ｂと異なり、Ｚ方向と斜交した傾斜部５６２を更に有している。
【００５４】
図１７に示されるように、被ロック部５６０Ｃを有するコネクタ１０が回路基板８０に取付けられたとき（図１参照）、被ロック部５６０Ｃの傾斜部５６２が、下方から取付け孔８１０の壁面の下端に接触している。傾斜部５６２は、この下端を下方から押圧しており、これによりロックされている。更に、図１８に示されるように、コネクタ１０が回路基板８０Ｘに取付けられたとき、被ロック部５６０Ｃの湾曲部５６４が、下方から取付け孔８１０の壁面の下端に接触している。湾曲部５６４は、この下端を下方から押圧しており、これによりロックされている。即ち、第３の変形例によるロック部８２０は、取付け孔８１０の壁面の下端である。
【００５５】
第３の変形例による被ロック部５６０Ｃの傾斜部５６２の数は１である。しかしながら、傾斜部５６２の数は１以上であればよい。即ち、被ロック部５６０Ｂは、１以上の傾斜部５６２を有していればよい。また、取付け済み状態において、湾曲部５６４のいずれか又は傾斜部５６２のいずれかが、下方からロック部８２０に接触していればよい。
【００５６】
（第４の変形例）
図１９及び図２０に示されるように、第４の変形例によるフレーム５００Ｄは、フック５５０（図３参照）と少し異なるフック５５０Ｄを有している。フック５５０Ｄは、被ロック部５６０Ｄを有している。被ロック部５６０Ｄは、被ロック部５６０と異なり、ＹＺ面内において階段形状を有している。
【００５７】
被ロック部５６０Ｄを有するコネクタ１０が回路基板８０に取付けられたとき（図１参照）、被ロック部５６０Ｄの階段形状の部位の一部が、下方から回路基板８０の下面８０Ｌに接触している。被ロック部５６０Ｄは、下面８０Ｌを下方から押圧しており、これによりロックされている。更に、図２０に示されるように、コネクタ１０が回路基板８０Ｘに取付けられたとき、被ロック部５６０Ｄの階段形状の部位の他の一部が、下方から取付け孔８１０の壁面の下端に接触している。被ロック部５６０Ｄは、この下端を下方から押圧しており、これによりロックされている。即ち、第４の変形例によるロック部８２０は、回路基板８０の下面８０Ｌ又は取付け孔８１０の壁面の下端である。第４の変形例によれば、取付け済み状態において、被ロック部５６０Ｄの階段形状の部位の一部が、下方からロック部８２０に接触している。
【００５８】
図１３乃至図２０に示されるように、第１乃至第４の変形例によれば、被ロック部の夫々は、被ロック部５６０と同様に、フックの面である。また、被ロック部の夫々は、取付け状態において、全体としてＺ方向と交差する方向に延びている。
【００５９】
図９及び図１０に示されるように、本実施の形態によるフレーム５００が薄い回路基板８０に取り付けられたとき、側板部５１０の接触面５１６は、回路基板８０の上面８０Ｕから離れて上方に位置する。このため、例えばフレーム５００に振動が加わった場合、フレーム５００がガタつくおそれがある。一方、図１３乃至図２０に示されるように、第１乃至第４の変形例によれば、フレームが回路基板８０及び回路基板８０Ｘのいずれに取り付けられたときでも、側板部５１０の接触面５１６を上面８０Ｕと接触させつつ、被ロック部をロックすることができる。即ち、第１乃至第４の変形例によれば、フレームをより安定的に回路基板８０又は回路基板８０Ｘに取り付けることができる。
【００６０】
本実施の形態によるコネクタ１０は、以上に説明した変形例の他に様々に変形可能である。例えば、図９、図１０、及び図１３乃至図２０に示されるように、本実施の形態及び変形例によるロック部の夫々は、取付け孔の下端の近傍に位置している。また、取付け状態において、被ロック部は、取付け孔に挿入されている。更に、被ロック部の少なくとも一部は、取付け孔の下端から下方に突出している。しかしながら、ロック部は、取付け孔の近傍の部位でなくてもよい。例えば、ロック部は、回路基板に形成された切欠き（図示せず）の縁であってもよい。更に、ロック部は、回路基板上に設けられた部材（図示せず）の一部であってもよい。但し、ロック部を容易に設けるためには、ロック部は、取付け孔の近傍の部位であることが好ましい。
【００６１】
本実施の形態によるコネクタ１０は、以下に説明するように、様々な電子機器に搭載することができる。
【００６２】
図２１及び図２２を参照すると、テレビジョン受像機（電子機器）７０は、筐体７０２と、表示パネル７０４と、対象物（回路基板）７０６とを備えている。表示パネル７０４は、画像や映像を表示可能となるように筐体７０２に取り付けられている。表示パネル７０４としては、例えば、液晶ディスプレイ、有機ＥＬ（Electro Luminescence）ディスプレイ、プラズマディスプレイ等が使用される。回路基板７０６は、筐体７０２の内部に取り付けられている。
【００６３】
図２２を参照すると、回路基板７０６は、回路基板８０（図２参照）と同様に、コネクタ１０を取り付け可能な構造を有している。回路基板７０６には、コネクタ１０に加えて、様々な電子部品７０８が取り付けられている。このように電子機器７０に搭載されたコネクタ１０は、例えば表示パネル７０４に表示するための画像をメモリカード（図示せず）から入力するために使用される。
【００６４】
図２３及び図２４を参照すると、ＰＣ（Personal Computer）である電子機器７２は、対象物（回路基板）７２６を備えている。回路基板７０６は、電子機器７２の内部に取り付けられている。
【００６５】
図２４を参照すると、回路基板７２６は、回路基板８０（図２参照）と同様に、コネクタ１０を取り付け可能な構造を有している。図示された回路基板７２６には、コネクタ１０のみが取り付けられている。但し、回路基板７０６には、コネクタ１０以外の電子部品が取り付けられていてもよい。電子機器７２にコネクタ１０を搭載することで、外部のカード（図示せず）との間でデータの入出力を行うことができる。
【符号の説明】
【００６６】
１０      コネクタ
２００    ハウジング
２１０    保持部
２１４    側部
２１６    張出し部
２１８    下面
２２０    押圧部
２３０    アーム部
２３２    上面（支持面）
２４０    支持部
３００    ホールドダウン
４００    コンタクト
５００，５００Ａ，５００Ｂ，５００Ｃ，５００Ｄ  フレーム
５１０    側板部
５１６    接触面
５２０    前端部
５２２    上面
５２４    突出部
５３０    被押圧部
５４０    バネ部
５５０，５５０Ａ，５５０Ｂ，５５０Ｃ，５５０Ｄ  フック
５６０，５６０Ａ，５６０Ｂ，５６０Ｃ，５６０Ｄ  被ロック部
５６２    傾斜部
５６４    湾曲部
５７０    位置決め部
５７２    湾曲部
５７４    連結部
５８０    上板部
５８４    下面（被支持面）
５９０    被支持部
７０      テレビジョン受像機（電子機器）
７０２    筐体
７０４    表示パネル
７０６    対象物（回路基板）
７０８    電子部品
７２      ＰＣ（電子機器）
７２６    対象物（回路基板）
８０，８０Ｘ      対象物（回路基板）
８０Ｕ            上面
８０Ｌ            下面
８１０，８１０Ｘ  取付け孔
８２０            ロック部
【図１】
2015207404.tif 000003
【図２】
2015207404.tif 000004
【図３】
2015207404.tif 000005
【図４】
2015207404.tif 000006
【図５】
2015207404.tif 000007
【図６】
2015207404.tif 000008
【図７】
2015207404.tif 000009
【図８】
2015207404.tif 000010
【図９】
2015207404.tif 000011
【図１０】
2015207404.tif 000012
【図１１】
2015207404.tif 000013
【図１２】
2015207404.tif 000014
【図１３】
2015207404.tif 000015
【図１４】
2015207404.tif 000016
【図１５】
2015207404.tif 000017
【図１６】
2015207404.tif 000018
【図１７】
2015207404.tif 000019
【図１８】
2015207404.tif 000020
【図１９】
2015207404.tif 000021
【図２０】
2015207404.tif 000022
【図２１】
2015207404.tif 000023
【図２２】
2015207404.tif 000024
【図２３】
2015207404.tif 000025
【図２４】
2015207404.tif 000026
【図２５】
2015207404.tif 000027